【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】
ファンケーシングと、このファンケーシングに支持されたファンとを有するファンユニットと、
上記ファンユニットが設置されるファン取り付け部と、発熱する回路部品が熱的に接続される受熱部とを有する放熱板と、を備え、
上記ファンケーシングは、空気を吸い込む吸込口と、この吸込口と向かい合う開口部を有し、この開口部は上記放熱板によって塞がれていることを特徴とする冷却装置。
【請求項２】
請求項１の記載において、上記ファンケーシングは、熱伝導性を有する金属材料にて構成され、このファンケーシングが上記放熱板のファン取り付け部に熱的に接続されていることを特徴とする冷却装置。
【請求項３】
請求項２の記載において、上記ファン取り付け部と上記受熱部とは、互いに並んでいることを特徴とする冷却装置。
【請求項４】
請求項１ないし請求項３のいずれかの記載において、上記放熱板は、上記ファンケーシングと協働して上記吸込口に連なる送風通路を構成していることを特徴とする冷却装置。
【請求項５】
請求項１の記載において、上記ファンユニットは、上記吸込口および開口部を通る回転軸線を有し、この回転軸線を上記放熱板と直交させた姿勢で上記ファンユニットが上記ファン取り付け部に支持されていることを特徴とする冷却装置。
【請求項６】
請求項５の記載において、上記ファンユニットは、その回転軸線を上記放熱板に対し傾斜させた姿勢で上記ファン取り付け部に支持されていることを特徴とする冷却装置。
【請求項７】
筐体と、
上記筐体に収容され、受熱部とファン取り付け部とを有する放熱板と、
上記放熱板の受熱部に熱的に接続された発熱する回路部品と、
上記放熱板のファン取り付け部に設置されたファンユニットと、を備え、
上記ファンユニットは、ファンを支持するファンケーシングを有し、このファンケーシングは、空気を吸い込む吸込口と、この吸込口と向かい合う開口部とを有するとともに、この開口部が上記放熱板によって塞がれていることを特徴とする電子機器。
【請求項８】
請求項７の記載において、上記筐体は、上記放熱板と並行をなす底壁を有し、上記ファンユニットおよび回路部品は、上記放熱板と上記底壁との間に配置されていることを特徴とする電子機器。
【請求項９】
請求項７の記載において、上記放熱板は、上記ファンケーシングと協働して上記吸込口に連なる送風通路を構成していることを特徴とする電子機器。
【請求項１０】
請求項７の記載において、上記筐体は、熱伝導性を有する金属材料材にて構成され、上記放熱板は、上記筐体に固定されていることを特徴とする電子機器。
【手続補正２】
【補正対象書類名】明細書
【補正対象項目名】００１１
【補正方法】変更
【補正の内容】
【００１１】
本発明は、このような事情にもとづいてなされたもので、回路部品の冷却性能を充分に確保できる冷却装置および冷却装置を有する電子機器の提供を目的とする。
【手続補正３】
【補正対象書類名】明細書
【補正対象項目名】００１２
【補正方法】変更
【補正の内容】
【００１２】
【課題を解決するための手段】
上記目的を達成するため、本発明の一つの形態に係る冷却装置は、
ファンケーシングと、このファンケーシングに支持されたファンとを有するファンユニットと、
上記ファンユニットが設置されるファン取り付け部と、発熱する回路部品が熱的に接続される受熱部とを有する放熱板と、を備えている。
上記ファンケーシングは、空気を吸い込む吸込口と、この吸込口と向かい合う開口部を有し、この開口部は上記放熱板によって塞がれていることを特徴としている。
【手続補正４】
【補正対象書類名】明細書
【補正対象項目名】００１３
【補正方法】変更
【補正の内容】
【００１３】
このような構成によれば、吸込口から吸い込まれた空気が回路部品の熱を受ける放熱板に直接吹き付けられる。そのため、放熱板とファンケーシングとの間に熱伝達を妨げるような熱抵抗が生じることはないとともに、放熱板自体を空気を媒体とする強制対流によって直接冷却することができる。よって、放熱板に伝えられた回路部品の熱を効率よく外方に放出でき、回路部品の冷却性能を高めることができる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００４９
【補正方法】変更
【補正の内容】
【００４９】
ヒートシンク５４は、放熱板の一例であり、アルミニウム合金あるいは銅系合金のような熱伝導性に優れた金属材料にて構成されている。このヒートシンク５４は、平坦な長方形の板状をなしており、上記筐体４の幅方向に沿って延びている。ヒートシンク５４は、裏面５８と、この裏面５８の反対側に位置された表面５９とを有している。
【手続補正２０】
【補正対象書類名】明細書
【補正対象項目名】００８７
【補正方法】変更
【補正の内容】
【００８７】
【発明の効果】
以上詳述した本発明によれば、吸込口から吸い込まれた空気が放熱板に直接吹き付けられるので、放熱板とフィンケーシングとの間に熱伝達を妨げるような熱抵抗が生じることはなく、放熱板を空気を媒体とする強制対流により効率良く冷却することができる。よって、回路部品の放熱性能を高めることができ、充分な冷却能力を確保することができる。
【手続補正２１】
【補正対象書類名】明細書
【補正対象項目名】００８８
【補正方法】削除
【補正の内容】
【手続補正２２】
【補正対象書類名】明細書
【補正対象項目名】符号の説明
【補正方法】変更
【補正の内容】
【符号の説明】
４…筐体、３３…回路部品（ＭＰＵ）、５４…放熱板、５５…ファンユニット、６０…受熱部、６１…ファン取り付け部、７６…ファンケーシング、７７…ファン、８０…開口部、８３…吸込口。